(57)【要約】  筆記若しくは製図に類似した作業を手書きで行う際の補助装置であって、文字を直線状に書くために、罫線を引き、それを消す手間を省く効果のある、筆記サポートを有している。筆記サポートは、ｇ，ｊ，ｐ，ｇ，若しくはｙのようなディセンダーを有する文字を書く際、参考線が引っ込むような形状になっている。好適な実施例においては、筆記サポートは、ベースから伸ばされた柔軟性のある材料で形成された複数のループによって構成されている。
2008528321.tif 000002
【特許請求の範囲】
【請求項１】
ベース部から伸びる筆記サポートを具備した筆記ガイドであって、
複数のループを備え、該複数のループが集合的に、各ループに接した線を示している、筆記ガイド。
【請求項２】
前記ループが、柔軟性のある材料を備えている、請求項１に記載の筆記ガイド。
【請求項３】
前記ベース部が、略長方形である、請求項１に記載の筆記ガイド。
【請求項４】
前記ベース部が、樹脂、木材、金属、またはセラミックのうちの一種である、請求項１に記載の筆記ガイド。
【請求項５】
前記ベース部が、計測表示部をさらに備えている、請求項１に記載の筆記ガイド。
【請求項６】
前記ベース部が、該ベース部の材料に直接的に組み込まれた表示部をさらに備えている、請求項１に記載の筆記ガイド。
【請求項７】
前記ベース部が、該ベース部に追加された印刷表示部をさらに備えている、請求項１に記載の筆記ガイド。
【請求項８】
前記ベース部が、該ベース部に成型された目盛マークをさらに備えている、請求項１に記載の筆記ガイド。
【請求項９】
前記ベース部の下端が傾斜されている、請求項１に記載の筆記ガイド。
【請求項１０】
前記ベース部の裏側に取り付けられた、少なくとも１つの弾力性のある足をさらに備えている、請求項１に記載の筆記ガイド。
【請求項１１】
前記筆記サポートが、より糸、ワイヤー、及び釣り糸から成るグループから選択された１つの材料によって形成された複数のループを備えている、請求項１に記載の筆記ガイド。
【請求項１２】
近接するループが重なり合っている、請求項１に記載の筆記ガイド。
【請求項１３】
未使用時は、前記筆記サポートを保護するためのカバーと組み合わせられている、請求項１に記載の筆記ガイド。
【発明の詳細な説明】
【技術分野】
【０００１】
［関連出願の相互参照］
本出願は、「筆記ガイド」の名称で２００５年１月１９日に出願された、米国特許出願１１／０４０，４６０号の利益を主張している。
【０００２】
本発明は、筆記若しくはこれに類する製図のためのガイドに関するものであって、手書きで、文章を書いたり工芸品に文字を書く際に使用することができる。
【背景技術】
【０００３】
高品質なルーズリーフアルバムの一種は、写真やこれに類する記念品を貼るため、複数の交換可能なリーフを綴じ込んでいる１組のカバーを有している。これらカバー及びリーフは、リーフから突出しているヒンジ部及びカバーの内側に取り付けられたホルダーに形成されたスロットを通したストラップによって、一緒に綴じられている。このカバーホルダーは摩擦力によってストラップの端部を支持している。例えば、特許文献１を参照されたい。このようなアルバムは、いわゆるスクラップブックとして工芸品や趣味の用途で広く使用されている。
【特許文献１】米国特許第５８４８８５１号明細書
【発明の開示】
【発明が解決しようとする課題】
【０００４】
スクラップブックの、特に一般的な態様は、コメント若しくは題名をアルバムのページに加えること、例えばページに写真のテーマを書き加えることである。このような筆記はしばしば、スタンプ、ステッカー及びこれらに類する手段とは対照的な、フリーハンド（手書き）でなされる。
【課題を解決するための手段】
【０００５】
本発明は、手書きの筆記、若しくはこれに類する製図のためのガイドである。このガイドは、柔軟性があり、書きやすい（conformable）筆記サポートを具備しており、線を引き、次いで線を消す手間を省く効果がある。このサポートは、ｇ，ｊ，ｐ，ｇ，若しくはｙのようなディセンダー（descenders：小文字の基線より下に延びる部分）を有する文字を書く際、後退可能な参考線（visual line）を形成している。このサポートは、手書きの筆記の際に、使用者が均一に（一般的には水平であるが、必ずしもそうである必要はない）位置合わせすることを可能としている。好適な実施例においては、筆記サポートは、柔軟性のある材料で形成された複数のループである。
【発明を実施するための最良の形態】
【０００６】
添付の図面は、本発明の特定の実施例を例示しているものであって、本発明の技術的範囲を限定する意図を有してはいない。特に、図によって提案されている比率、及び／又は寸法は、好適ではあるが、特許請求の範囲において具体的に規定された場合を除き、必ずしも必要とされるものではない。
【０００７】
図１〜７に本発明の最も好適な実施例を図示したが、特に記載されている場合を除き、下記に記述した本発明の様々な態様は、本発明の技術的範囲に重大な影響を及ぼすものではない。
【０００８】
本発明は筆記ガイド１０に関するものである。筆記ガイド１０は、ベース部１２、及び筆記サポート１４を具備している。本発明装置は筆記台１６に設置されるように設計してあり、筆記サポート１４の上端１８が、文字、若しくは図が描かれる場所に沿うような形状になっている。様々な便利な筆記用具（本発明には含まず）と共に使用可能である。適切な位置に筆記ガイド１０を置く際も、枠や他の補助機構を必要としない。
【０００９】
ベース部１２は略長方形の部材であり、横方向に長さを持っている（図２における左右の幅である）。幅は長手方向に対する垂直方向の幅（すなわち図２における上端から下端までの長さ）であって、厚さは長さおよび幅に対する垂直方向の厚さ（すなわち筆記面に対する垂直方向の厚さ、及び図４〜６に明確に示した長さ）である。３方向、おのおのの正確な数値は、本発明の機能に対して、特に大きな問題とはならず、下記に記述した原則に従って、本発明を使用に適した数値範囲が定められている。最も好適な実施例では、長さは約２１．０ｃｍ、幅は約１．９ｃｍ、厚さは約０．２ｃｍである。ベース部は、平坦で、滑らかな筆記面にガイドを設置するのに適するように（図７）、背面が平坦であることが好ましい（図３）。
【００１０】
台１２の材質は、本発明の機能に対して、特に大きな問題とはならないが、最も好適な実施例では、ポリエチレンのような硬化樹脂が使用されている。適宜に成型されたその他の硬化樹脂（若しくは樹脂の混合物）も使用可能であり、木材、金属、セラミック若しくは他の材料も使用可能であろう。
【００１１】
必須ではないが、ベース部１２は、グラフィック・アートや工芸品でよく使われる、記号や数字の様な計測表示部（measurement indicia）２０も含むことが好ましい。このような表示部は直接ベース部１２の部材に掘り込むことができる（例えば、成型、象眼、エンボス加工、彫刻など）。若しくは、個別の印刷や、後でラベルを貼る等の方法で、ベース部１２に直接記すこともできる。図に示した最も好適な実施例では、表示部２０は、標準的な目盛マーク（ruler markings（米英単位系またはメートル系））であり、ベース部１２に成型されている。成型された表示部２０は、簡単に指先で認識することができるように、ベース部１２の表面から浮き上がっており、必要に応じて、埋め込むこともできる。計測表示部を使用する際は、表示部が位置する箇所である、ベース部１２の底縁１１（図６）は傾斜していることが好ましく、これにより、本発明品を定規として使用する時、精度を向上させることができる。
【００１２】
図に示した最も好適な実施例では、筆記サポートは、複数の独立した、重ね合わさった、しなりやすい、環状の部材（ループ）を有しており、このループは、より糸、ワイヤー、釣り糸、若しくはその他類似の形状の材料から成っている。最も適した材料は単一フィラメント・ナイロン糸である。ループ１５は、筆記面と略平行に伸びるように、一定量（本例では１９ｍｍ）ベース部１２の上側から伸びている。これら独立した円弧は、全体で、各々のループに接する一本の線を示し、この線は、筆記サポート１４の上端１８に位置する。おのおののループ１５の実際の接点は、僅かに筆記面から浮き上がっている。これはループ１５がベース部１２の前後の面の間に挟まれているからである。それゆえ、筆記補助部１４の柔軟性によって、ｇ，ｊ，ｐ，ｇ，若しくはｙのようなディセンダー（小文字の基線より下に延びる部分）を有する文字を書く際、特に、行書体で書く際、参考線が引っ込むような形状になっているのである。ループの数は本発明の技術的範囲においては制限していないし、図示されているような、隣接するループの重なりも要求していない。最も好適な実施例では、筆記ガイドの全体の大きさに関係する、上端１８を最適に定義するために、比較的多数のループ（およそ１インチにつき３つ）が好ましいとされている。しかし、ループの数、大きさ、形状、及び構造は、本発明の技術的範囲を逸脱しない範囲で変更可能である。
【００１３】
ループ１５はベース部１２に、おのおのの構成部品に使用される部材の選択に対して、最適な方法で取り付けることができる。最も好適な実施例では、ベース部１２は２つの部品から成っており、ループは前後の部品１２ａ，１２ｂに挟まれている（図３，図４）。それらは１つに組み合わされており、接着、スナップ式、超音波溶接、等のような、最適な手段によって、取り外せないように互いに貼り付けられている。確実に嵌合させるためには、一方、若しくは両方の部材に相性の良い寸法のチャンネル溝を形成し、ループ１５を形成する材料の厚さに対応させることができる。必要ならば、これらのチャンネル溝は、ベース部１２内部に組み込むことができる。これにより、組み込まれたチャンネル溝を通して繰り返し巻かれた、１またはそれ以上のループ材料によって、複数のループ１５が形作られる。別な代替案では、ループ１５のそれぞれの側部に個別に開口部を形成するのではなく、前後のピースの間の隙間がベース部１２の略全長に亘っており、ループ１５がその隙間から伸ばされている。しかしながら、一般的に、筆記ガイド１０の内部構造の詳細は、本発明の技術的範囲に重大な影響を及ぼすものではなく、ループ１５が意図された目的を果たすため、所定位置にしっかりと保持されてさえいれば差し支え無いのである。
【００１４】
好適な実施例の商用版においては、以下の２点が別々に設けてあることが望ましい。（１）使用時に、固定状態を保つために、本発明品の裏側に取り付けられた、少なくとも１つ（さらに好ましくは３つ）の弾力性のある足１３。（２）未使用時にループ部を保護するのに適したデザインの保護カバー（図示せず）。
【００１５】
本発明の好適な実施例を上述してきたけれども、さらに一般的な表現を用いて、本発明を最も広く記述することもできる。本発明は筆記ガイドであって、ベース部、及びベース部に最適な手段で取り付けられた、柔軟性があり、人に優しい筆記サポートを具備する。また、当然のことながら、筆記面の上端は、真っ直ぐであることが好ましいが、必ずしもその必要はない。筆記サポートに対して概ね湾曲された上端を備えている本発明の実施例は、本発明の技術的範囲に属するものである。そして上端の湾曲は凹状であったり、凸状であったり、若しくはその組み合わせ（例えば正弦波状）であって良い。
【図面の簡単な説明】
【００１６】
【図１】本発明の好適な実施形態の斜視図である。
【図２】図１の好適な実施形態の正面図である。
【図３】図１の好適な実施形態の背面図である。
【図４】図１の好適な実施形態の平面図である。
【図５】図１の好適な実施形態の底面図である。
【図６】図１の好適な実施形態の左側面図である。左右対称体であるため、右側面図は図示されていない。
【図７】図１〜６の好適な実施形態での使用時の斜視図である。
【符号の説明】
【００１７】
１０  筆記ガイド
１１  底縁
１２  ベース部
１３  弾力性のある足
１４  筆記サポート
１５  ループ
１６  筆記面
１８  上端
２０  表示部
【図１】
2008528321.tif 000003
【図２】
2008528321.tif 000004
【図３】
2008528321.tif 000005
【図４】
2008528321.tif 000006
【図５】
2008528321.tif 000007
【図６】
2008528321.tif 000008
【図７】
2008528321.tif 000009
【国際調査報告】
2008528321.tif 000010
2008528321.tif 000011